(57)【要約】【課題】    本発明は、顧客の漠然とした価値観やライフスタイルを反映した住宅プランを表示することが可能な住宅プランシミュレーションシステムの提供を目的とする。【解決手段】  本発明の住宅プランシミュレーションシステムは、顧客のライフスタイルに関して複数の質問を行う（Ｓ２０３乃至Ｓ２０６）。複数の質問に対する顧客の回答に応じて所定の数値を付与し、前記複数の質問毎に複数のプランのそれぞれに対して重み計数を付与し、複数の質問のそれぞれに対して複数のプランとの関係する質問重み計数を付与すると共に、質問数値と、プラン重み計数と、質問重み計数とを用いて、適切な住宅プランを選択して表示する（Ｓ２０８）。【選択図】  図２
2005157510.tif 000002
【特許請求の範囲】
【請求項１】
サーバ装置とクライアント装置とをネットワーク上で接続し、前記クライアント装置上で顧客に対して複数の質問を提示し、前記サーバ装置に設けた制御手段により前記複数の質問に対する顧客の複数の回答に応じて適切な住宅プランを選択し、前記適切な住宅プランを前記クライアント装置に設けた表示手段により表示する住宅プランシミュレーションシステムにおいて、
前記制御手段は、
前記質問に対する顧客の回答に応じて、それぞれ所定の配点を付与する質問配点付与手段と、
前記質問毎に、前記複数の住宅プランのそれぞれに対してプラン重み計数を付与するプラン重み計数付与手段と、
前記顧客の回答を、前記所定の配点と前記プラン重み計数とに基づいて、適切な住宅プランを選択する住宅プラン選択手段と、を備えることを特徴とする住宅プランシミュレーションシステム。
【請求項２】
請求項１に記載の住宅プランシミュレーションシステムにおいて、前記制御手段は、前記質問毎に、前記複数のプランと関係付けられた質問重み計数を付与する質問重み計数付与手段を備えることを特徴とする住宅プランシミュレーションシステム。
【請求項３】
請求項１又は２に記載の住宅プランシミュレーションシステムにおいて、前記制御手段は、所定数の質問に対する回答が完了する毎に前記住宅プラン選択手段によって適切な住宅プランを選択し、前記所定数の質問に対する回答が完了する毎に、前記適切な住宅プランを、前記クライアント装置に設けた前記表示手段を用いて表示するよう制御することを特徴とする住宅プランシミュレーションシステム。
【請求項４】
請求項３に記載の住宅プランシミュレーションシステムにおいて、前記制御手段は、前記クライアント装置に設けた前記表示手段を用いて、前記住宅プラン選択手段によって選択された適切な住宅プランとの適合度合いを、各住宅プラン毎に図示するよう制御することを特徴とする住宅プランシミュレーションシステム。
【請求項５】
請求項１乃至４の何れかに記載の住宅プランシミュレーションシステムにおいて、前記制御手段は、前記住宅プラン選択手段によって選択された適切な住宅プランを取り消して、前記複数の質問に対する顧客の回答をやり直すための戻り手段を備えることを特徴とする住宅プランシミュレーションシステム。
【請求項６】
請求項１乃至５の何れかに記載の住宅プランシミュレーションシステムにおいて、前記住宅プラン選択手段は、複数の適切な住宅プランを選択可能であることを特徴とする住宅プランシミュレーションシステム。
【請求項７】
請求項１乃至６の何れかに記載の住宅プランシミュレーションシステムにおいて、前記質問点数付与手段が用いる前記所定の数値は、前記サーバ装置に設けた記憶手段に記憶されると共に、変更可能であることを特徴とする住宅プランシミュレーションシステム。
【請求項８】
請求項１乃至７の何れかに記載の住宅プランシミュレーションシステムにおいて、前記プラン重み計数付与手段が用いる前記重み計数は、前記サーバ装置に設けた記憶手段に記憶されると共に、変更可能であることを特徴とする住宅プランシミュレーションシステム。
【請求項９】
請求項２乃至８の何れかに記載の住宅プランシミュレーションシステムにおいて、前記質問重み計数付与手段が用いる前記質問重み計数は、前記サーバ装置に設けた記憶手段に記憶されると共に、変更可能であることを特徴とする住宅プランシミュレーションシステム。
【請求項１０】
請求項３又は４に記載の住宅プランシミュレーションシステムにおいて
前記クライアント装置は、前記所定数の質問毎に回答結果を前記サーバ装置に送信する送信手段を備えることを特徴とする住宅プランシミュレーションシステム。
【発明の詳細な説明】
【技術分野】
【０００１】
本発明は、ネットワーク上で顧客に住宅プランを表示するシステムに関し、より詳細には、顧客の価値観、ライフスタイル等の感性に関わる質問を表示し、質問の回答結果に応じた住宅プランを表示するシミュレーションシステムに関するものである。
【背景技術】
【０００２】
従来からインターネット等のオープンネットワーク上で、顧客が操作するパーソナルコンピュータ等のクライアント装置上で質問を表示し、顧客が選択した回答に応じた住宅プランを表示するようなシステムは、特許文献１に示されるように既に提案されている。また、インターネット上で、顧客に各種の条件を選択させ、条件に適合する構造の住宅を表示するものも現実に提供されている。
【０００３】
特許文献１は、クライアントサーバシステムを用いた住宅販売支援システムであり、クライアント装置（顧客側端末）からの要求に応じて、サーバ装置から間取情報の表示を行うものである。顧客は、間取り情報の生成をするために必要な情報、具体的には、敷地の住所、面積、形状、予算、家族構成等の具体的な情報をクライアント装置側から入力し、クライアント装置はこれらの情報をサーバ装置に送信して、送信された情報に基づきサーバ装置が間取り情報を生成して、これをクライアント装置に送信して表示するものである。
【特許文献１】特開２０００−３５９９０号公報
【発明の開示】
【発明が解決しようとする課題】
【０００４】
前記従来技術では、顧客によって入力（選択）される情報が具体的なものであり、顧客が有する漠然とした価値観や、ライフスタイルを活かした住宅プランを表示するものではなかった。また、顧客が具体的な住宅の構造や間取について未定の場合には、適切な情報を入力又は選択することができなかった。
【０００５】
さらに、前記従来技術では、表示された選択肢の全てに合致したものを単純に抽出して表示するのみであり、各質問の間や、質問内の各選択肢の間で重み付けを行うことにより、総合的に顧客の価値観やライフスタイルを判断するものではなかった。また、選択肢の組み合わせにより表示される住宅情報は、選択肢が同じであれば常に同じであるため、選択される住宅情報と顧客の嗜好が一致していない場合にもこれを適宜修正することができなかった。
【０００６】
本発明は、質問への回答を通して、顧客が自己の漠然とした価値観やライフスタイル等を認識すると同時に、これらを反映した住宅プランを表示することが可能な住宅プランシミュレーションシステムの提供を目的とする。
【課題を解決するための手段】
【０００７】
本発明の住宅プランシミュレーションシステムは、これらの課題を以下の手段によって解決する。請求項１記載の発明は、サーバ装置２００とクライアント装置３００とをネットワーク１００上で接続し、前記クライアント装置３００上で顧客に対して複数の質問を提示し、前記サーバ装置２００に設けた制御手段２０１により前記複数の質問に対する顧客の複数の回答に応じて適切な住宅プランを選択し、前記適切な住宅プランを前記クライアント装置３００に設けた表示手段３０２により表示する住宅プランシミュレーションシステムにおいて、前記制御手段２０１は、前記質問に対する顧客の回答に応じて、それぞれ所定の配点を付与する質問配点付与手段と、前記質問毎に、前記複数の住宅プランのそれぞれに対してプラン重み計数を付与するプラン重み計数付与手段と、前記顧客の複数の回答を、前記所定の配点と前記プラン重み計数とに基づいて、適切な住宅プランを選択する住宅プラン選択手段と、を備える。
【０００８】
請求項２の発明は、請求項１に記載の住宅プランシミュレーションシステムにおいて、前記制御手段２０１は、前記質問毎に、前記複数のプランと関係付けられた質問重み計数を付与する質問重み計数付与手段を備える。請求項３記載の発明は、請求項１又は２に記載の住宅プランシミュレーションシステムにおいて、前記住宅プラン選択手段は、所定数（実施形態では５問）の質問に対する回答が完了する毎に適切な住宅プランを選択し、所定数の質問に対する回答が完了する毎に（例えば５問毎に）、前記住宅プラン選択手段によって選択された適切な住宅プランを、顧客に対して表示手段３０２により表示する。
【０００９】
請求項４記載の発明は、請求項３に記載の住宅プランシミュレーションシステムにおいて、前記制御手段２０１は、前記クライアント装置３００に設けた前記表示手段３０１を用いて、前記住宅プラン選択手段によって選択された適切な住宅プランとの適合度合い（マッチング）を、各住宅プラン毎に図示する（即ち、マッチングインジケータ６４により示す）よう制御する。請求項５記載の発明は、請求項１乃至４の何れかに記載の住宅プランシミュレーションシステムにおいて、前記制御手段２０１は、前記住宅プラン選択手段によって選択された適切な住宅プランを取り消して、前記複数の質問に対する顧客の回答をやり直すための戻り手段（戻るボタン６３及びステップＳ２０５）を備える。請求項６記載の発明は、請求項１乃至５の何れかに記載の住宅プランシミュレーションシステムにおいて、前記住宅プラン選択手段２０１は、複数の適切な住宅プランを選択可能である。
【００１０】
請求項７記載の発明は、請求項１乃至６の何れかに記載の住宅プランシミュレーションシステムにおいて、前記質問点数付与手段が用いる前記所定の数値は、前記サーバ装置２００に設けた記憶手段２０５に記憶されると共に、変更可能である。請求項８記載の発明は、請求項１乃至７の何れかに記載の住宅プランシミュレーションシステムにおいて、前記プラン重み計数付与手段が用いる前記重み計数は、前記サーバ装置２００に設けた記憶手段２０５に記憶されると共に、変更可能である。請求項９記載の発明は、請求項１乃至８の何れかに記載の住宅プランシミュレーションシステムにおいて、前記質問重み計数付与手段が用いる前記質問重み計数は、前記サーバ装置２００に設けた記憶手段２０５に記憶されると共に、変更可能である。
【００１１】
請求項１０記載の発明は、請求項３又は４に記載の住宅プランシミュレーションシステムにおいて、前記クライアント装置３００は、前記所定数の質問毎に回答結果を前記サーバ装置２００に送信する送信手段（モデムやターミナルアダプタ等の通信手段）を備える。
【発明の効果】
【００１２】
本発明の住宅プランシミュレーションシステムは、以下の効果を奏する。請求項１記載の発明によれば、選択される適切な住宅プランは、質問への回答結果を単純に集計したものではなく、住宅プラン毎の重み及び回答に応じた配点により住宅プランを選択するものであるため、顧客の嗜好と一致度の高い住宅プランを提示することができる。
【００１３】
請求項２記載の発明によれば、複数の質問の間で重みを付与することにより、質問間のバランスの変更が可能となるため、相対的に重要な質問への回答による住宅プランの選択への影響を増大させたり、相対的に重要でない質問の回答による住宅プランの選択への影響を低下させることができる。請求項３記載の発明によれば、所定数の質問に対する回答毎に、その時点で選択された適切な住宅プランを顧客に表示するため、その都度顧客は選択された住宅プランを確認しつつシミュレーションを行うことができる。
【００１４】
請求項４記載の発明によれば、複数の住宅プランとの適合度合いが図示、即ち視覚的に認識できるので、顧客は自己の回答がどの住宅プランに適合しているかを直ちに認識できる。請求項５記載の発明によれば、選択された住宅プランを気に入らない場合には、回答をやり直すことができ、一方的な押しつけにならないため、選択される住宅プランに対する顧客の納得度が向上する。
【００１５】
請求項６記載の発明によれば、回答結果に応じた複数の住宅プランを確認して希望するものを選択することができる。請求項７乃至９記載の発明によれば、これらの数値や係数を適宜変更することにより、これらの数値や係数をサーバ装置側で柔軟に変更することができるため、住宅プラン選択手段により選択される住宅プランと顧客の嗜好との乖離を防止して、精度の高い住宅プランのシミュレーションを行うことができる。
【００１６】
請求項１０記載の発明によれば、所定数の質問毎に回答結果をサーバ装置に送信するため、クライアント装置からサーバ装置への送信回数が少なくなることによって、ネットワーク及びサーバ装置への負荷が低下してサーバ装置のレスポンスが向上するため、顧客の入力ストレスを低下させることができる。さらに、回答結果を一問ごとに送信する場合に比較して、送信が失敗した場合にはこの所定数の質問をやり直せばすむので顧客の入力ストレスを低下させることができる。
【発明を実施するための最良の形態】
【００１７】
本発明の住宅プランシミュレーションシステムの実施形態を、以下、図１乃至図９に基づいて説明する。
〔基本構成〕本発明の住宅プランシミュレーションシステムは、好ましくはインターネット等のオープンネットワーク上でクライアントサーバシステムにより実現される。図１に示すように、サーバ装置２００及びクライアント装置３００は、インターネット等のネットワーク１００に接続されている。クライアント装置３００は、顧客の自宅に設置されたパーソナルコンピュータや、住宅展示場等に設置された情報端末等が該当する。
【００１８】
サーバ装置２００には、ＣＰＵ等の制御手段２０１と、ＣＲＴやＬＣＤ等の表示手段２０２と、キーボードやマウス等の入力手段２０３と、ネットワーク１００を介してクライアント装置３００と通信を行ってデータのやり取りをする通信手段２０４と、後述の表１に示す質問テーブル、ユーザー情報、住宅プラン等の情報を記憶するデータ記憶部２０５と、これらの間で情報のやり取りを行うバス２０６とを備えている。また、後述する設問に対する所定の配点と、プラン重み計数と、質問重み計数とを含むデータテーブルは、データ記憶手段２０５に記憶され、入力手段２０３を用いて書き換えることにより変更可能である。
【００１９】
クライアント装置３００は、ＣＰＵ等の制御手段、記憶手段、通信手段、入力手段３０１、表示手段３０２等を備え、サーバ装置２００から送信された情報が表示手段３０２によって表示され、顧客から質問への回答が入力手段３０１によって入力される。本実施形態は、クライアントサーバシステムに適用した形態を示すが、住宅展示場等に設置され、全ての処理を単独で行うスタンドアローン型のコンピュータ等にも適用可能である。
【００２０】
〔基本動作〕本発明の住宅プランシミュレーションシステムの基本的な動作を、図２に示すフローチャートを用いて説明する。後述のスタート画面において、顧客がシミュレーション開始ボタンをクリックすると、シミュレーションが開始して、立地条件選択ステップＳ２０１に移行する。立地条件選択ステップＳ２０１では、建設予定地や道路付けが選択され、選択が完了すると次の外装選択ステップＳ２０２に移行する。外装選択ステップＳ２０２では、外装（建物の顔）を選択し、選択が完了すれば、次のライフスタイル選択ステップＳ２０３に移行する。ライフスタイル選択ステップＳ２０３では、顧客のライフスタイルを判別するための３０問の質問が表示され、質問への回答が選択される。質問はたとえば５問毎にまとまって表示され、５問回答すると次へボタンをクリックすることにより次の５問の質問が表示される。本実施態形では質問が５問毎に表示されるものとしたが、５問に限らず任意の数の質問をまとめて表示してもよい。
【００２１】
ライフスタイル選択ステップＳ２０３で、５問の質問の回答を選択した後、ステップＳ２０４で次画面を選択したか否かを判断し、次画面を選択した場合には、ステップＳ２０７に移行する。ステップＳ２０４で次画面を選択しなかった場合には、ステップＳ２０５に移行して、戻るを選択したか否かを判断する。ステップＳ２０５で、戻るを選択した場合には、ステップＳ２０３に戻り、戻るを選択しなかった場合には、ステップＳ２０４に戻る。なお、この場合の戻るは、通常、直前に選択した５問の質問をやり直すものであるが、既に回答した質問を全てやり直すことも可能である。
【００２２】
ステップＳ２０６で、全問回答（本実施形態では３０問）したか否かを判断し、顧客が全問回答した場合には、ステップＳ２０７に移行し、顧客が全問回答していない場合には、ステップＳ２０４に戻って、顧客が全問回答するまで繰り返す。ステップＳ２０７では、二階部屋割り選択ステップＳ０７に移行し、顧客が二階部の屋割りを選択すると、回答結果表示ステップＳ２０８に移行して、判定された顧客のライフスタイルのタイプを表示すると共に、そのライフスタイルに最も適合する住宅プランを表示し、終了する。
【００２３】
〔画面操作〕以下、図３乃至図８を用いて、図２に示したフローチャートの各ステップで表示される表示画面の操作を説明する。先ず、顧客が、住宅プランシミュレーションシステム用に作成されたインターネットホームページにアクセスしてスタートする。このホームページには、各種検索エンジンや、他の住宅情報からのリンクによって接続されている。図３に示すように、このホームページのトップページ画面３０には、シミュレーションの概要やイメージ把握用の住宅画像と共に、シミュレーション開始ボタン３１が表示されている。このシミュレーション開始ボタンをクリックすると、シミュレーションが開始する。
【００２４】
図３は、クライアント装置３００に接続された表示手段３０２に表示されるスタート画面３０であり、図２のステップＳ２００に対応している。スタート画面３０には、シミュレータの概要、イメージ把握用の住宅イラストと共に、シミュレーション開始ボタン３１や、顧客番号（ＩＤ）入力部３２が表示されている。ＩＤ入力部３２には、以前、このシミュレーションシステムを利用してＩＤの取得を行っていた顧客用のものであり、ＩＤはサーバ装置２００のデータ記憶部２０５に記憶されている。顧客がＩＤを入力すると、クライアント装置３００からサーバ装置２００にＩＤが送信され、このＩＤに関連づけられた過去の条件を参照することが可能となる。図示しないが、例えば、ＩＤ入力後「保存条件の読み込み」又は「新規シミュレーション」が表示され選択可能となる。保存条件の読み込みを選択した場合には、シミュレーションは行わず、直ちに図８の回答結果表示画面に移行する。なお、スタート画面３０は他の住宅情報のホームページからリンクされたり、検索エンジンで検索されるものである。
【００２５】
図３のシミュレーション開始ボタン３１を顧客のパソコン等のマウスでクリックすると、シミュレーション開始信号がクライアント装置３００からサーバ装置２００に送信され、サーバ装置２００はクライアント装置３００に、立地条件選択画面データを送信し、クライアント装置３００の表示手段３０２に、図４に示す立地条件選択画面４０が表示される。
【００２６】
図４の立地条件選択画面４０は、図２のステップＳ２０１に対応しており、住宅建設の前提条件となる立地条件の選択するために、建設予定地選択部４１、道路付け選択部４２が表示される。建設予定地選択部４１には、選択枠が表示されており、この選択枠内に区分された各地域がプルダウン表示され、顧客は何れかの地域を選択する。建設予定地の選択としては、日本地図イラストから該当の県をポイントし絞り込むようにしてもよい。建設予定地の条件を取得する事で、地域別の施工価格を紐付けするものである。なお、建設予定地が指定されない場合（用地未決定時など）は、基準地域がデフォルトで設定される。また、本シミュレーションシステムにおいて、建設不可能な地域がある場合は、地図上で該当地域をブロックして表示する事で、利用者に適用範囲を伝える事も可能である。
【００２７】
次に、道路付け選択部４２には、入口が北側になる北接道選択ボタン４３、入口が南側になる南接道選択ボタン４４が表示されており、ボタン４３又はボタン４４の何れかを顧客がクリックして選択する。建設予定地及び道路付けの双方を選択すると、次画面に移行するための次へボタン４５が選択可能となる。顧客が次へボタン４５をクリックすると、クライアント装置３００からサーバ装置２００に、建設予定地及び道路付けの選択結果が送信されてデータ記憶部２０５に記憶され、サーバ装置２００からは、外装選択画面データがクライアント装置３００に送信され、その表示手段３０２に、図５に示す外装選択画面５０が表示される。
【００２８】
図５の外装（外観）選択画面５０は、図２のステップＳ２０２に対応しており、複数の外装の選択肢が表示される。本実施形態では建物の外装を、建物の顔としてとらえ、例えば、フェイスＡ（力強い顔）５１、フェイスＢ（中庸な顔）５２，フェイスＣ（やさしい顔）５３といった三種類の選択肢が表示される。それぞれの選択肢には、当該選択肢の選択ボタンと、当該選択肢のイメージ表示ボタンとを有している。例えば、図５では、フェイスＡ５１には、その左側にフェイスＡ選択ボタン５１ａ、その左側にフェイスＡ表示ボタン５１ｂが表示されている。顧客によって選択されたフェイス選択ボタンは、例えば黒色等等で表示され、顧客がどのフェイスを選択したのかが明確に表示される。フェイスＡ表示ボタン５１ｂをクリックすると、フェイスＡのイメージ画像が表示される。フェイスのイメージ画像には、画像と共に、フェイス北入りと記載され、さらに、外装の特徴も文章で説明され、費用の概要も表示してもよい。
フェイスのイメージ画像としては、JAVA（登録商標）やFlash（登録商標）を用いたコンピュータグラフィックスを用いて、建物の外観を俯瞰的に角度を付けて見るようにしてもよい。
【００２９】
なお、図５に示されるフェイスＡ乃至Ｃは、図４で選択された道路付け（北入り又は南入り）に対応したフェイスがサーバ装置２００により自動的に選択されて表示される。顧客が何れかのフェイスの選択ボタンをクリックした後、次へのボタン５４をクリックすると、クライアント装置３００からサーバ装置２００に、フェイスの選択の選択結果が送信されてデータ記憶部２０５に記憶され、サーバ装置２００からは、ライフスタイル選択画面データがクライアント装置３００に送信され、その表示手段３０２に、図６に示すライフスタイル選択画面６０が表示される。
【００３０】
図６のライフスタイル選択画面６０は、図２のステップＳ２０３乃至Ｓ２０５に対応しており、５つの質問が表示され、各質問には、それぞれ選択肢が表示される。例えば、第１の質問６１には、肯定の「はいボタン」６１ａ、肯定でも否定でも無い「まあまあボタン」６１ｂ、否定の「いいえボタン」６１ｃが表示され、他の質問にも同様のボタンが表示されている。顧客がボタン６１ａ乃至６１ｃの何れかをクリックして選択すると、選択されたボタンは、例えば黒色等で表示され、顧客がどのボタンを選択したのかが明確に表示される。顧客が、全ての質問に対応するボタンを選択すると、次へボタン６２が選択可能になる。次へボタンを選択すると、選択結果がサーバ装置２００に送信され、サーバから次の５問を表示するためのライフスタイル選択画面データがクライアント装置３００に送信される。
【００３１】
サーバ装置２００から送信された次の質問用のライフスタイル選択画面６０が、クライアント装置３００の表示手段３０２に表示される。この画面には、次の５問の質問が表示されると共に、戻るボタン６３、マッチングインジケータ６４が表示される。戻るボタン６３をクリックすると、前の画面に戻って、既に回答した５つの質問を再度回答することが可能となる。マッチングインジケータ６４は、既に回答結果に基づいて判定された顧客のライフスタイルを示すものである。ライフスタイルは本実施形態では後述する５つに分類されており、顧客の回答結果に応じて表示される。マッチングインジケータ６４は、単に数値で示すのではなく、視覚的に認識可能なように偏差値等を用いた棒グラフや、円グラフで、それぞれのライフスタイルとの適合度を表示するとよい。
【００３２】
ここで表示される質問は、後述の重み付けされた集計テーブルに基づいて、各ライフスタイル毎に点数化され、この点数に基づいて、マッチングインジケータで表示される各ライフスタイルとの適合度が算出される。なお、このようなライフスタイル選択により、一階の間取りが決定される。
【００３３】
このようにして、５問ずつ前記操作を繰り返して、合計３０問の質問に回答した状態で、次へボタン６２を操作すると、クライアント装置３００からサーバ装置２００に、質問の回答の選択結果が送信されてデータ記憶部２０５に記憶され、サーバ装置２００からは、二階部屋割り選択画面データがクライアント装置３００に送信され、その表示手段３０２に、図７に示す二階部屋割り選択画面７０が表示される。
【００３４】
図７の二階部屋割り選択画面７０は、図２のステップＳ２０７に対応しており、図６で選択されたライフスタイルに基づく間取りに対応して選択可能な二階の間取りが、間取１乃至間取５からなる間取ボタン７１…で表示され、各間取表示ボタンにカーソルを当てると、該当する間取の略図がポップアップ表示される。また、直接選択ボタン７２をクリックすることにより、選択可能な間取のイメージが全て表示され、直接選択することも可能である。
【００３５】
また、選択画面７０の下部に表示される複数の質問７３…に回答することにより、二階の間取が選択される。図７に示される質問は、図６に示した質問と同様に、肯定の「はいボタン」７３ａ、肯定でも否定でも無い「まあまあボタン」７３ｂ、否定の「いいえボタン」７３ｃが表示され、他の質問にも同様のボタンが表示されている。顧客が、全ての質問に対応するボタンを選択すると、結果表示ボタン７４が選択可能になる。結果表示ボタン７４をクリックすると、質問の選択結果がサーバ装置２００に送信され、サーバから選択結果を表示するための選択結果画面データがクライアント装置３００に送信され、その表示手段３０２に、図８に示す選択結果画面８０が表示される。
【００３６】
図８の選択結果画面８０は、図２のステップＳ２０８に対応しており、データ表示領域８１において、最も顧客のライフスタイルに適合した住宅のタイプ、顧客のライフスタイル、施工費を含む建物価格、その他諸経費込の合計価格が表示される。さらに、選択結果画面８０には、選択キーワード表示ボタン８２、イメージ表示ボタン８３、図面表示ボタン８４、印刷ボタン８５、次候補表示ボタン８６、結果保存ボタン８７、条件変更ボタン８８が表示されている。
【００３７】
図８において、選択キーワード表示ボタン８２をクリックすると、選択結果によって抽出されたキーワードが表示される。表示されるキーワードとしては、例えば、「建物の顔：優しい顔」、「立地条件：南接道」、「ライフスタイル：何かを始めたくなる家」、「二階のバリエーション：大小個室＋トイレ」等である。イメージ表示ボタン８３をクリックすると、家イメージをパース、イラスト図等で表示する。図面表示ボタン８４をクリックすると、例えば、選択されたライフスタイル「何かを始めたくなる家」と共に、「何かを始めたくなる家」に対応する間取画像が表示される。さらに、このライフスタイルの家に似合う家具の表示、家具配置のシミュレーションを行うこともできる。また、印刷ボタン８５をクリックするのことにより、選択された間取を印刷することも可能である。
【００３８】
次候補表示ボタン８６をクリックすることにより、順に、顧客とのマッチング度が２番目以降のライフスタイルに対応したタイプの家の情報が、図８と同様に表示される。結果保存ボタン８７をクリックすると、ユーザー登録と結果保存の画面がサーバ装置２００から送信されてクライアント装置３００の画面に表示され、ユーザー情報の登録と、結果保存が可能となる。ユーザー情報の登録と、結果保存を行うと、顧客に前述のＩＤが付与される。
【００３９】
図８の条件変更ボタン８８をクリックすると、個別条件変更画面が表示され、予算、フェイス（建物の顔）、部屋数等の個別条件を変更することができる。これによって、資金面等の条件変更が任意に行うことが可能となり、一旦シミュレーションを行った後は、細かな質問に回答しなくとも条件を変更することが可能となる。
【００４０】
〔ライフスタイルの質問〕本実施形態におけるライフスタイルの選択は、複数の質問に対する回答結果から、ライフスタイル別に住宅プランをシミュレーションするものであり、以下これをより詳細に説明する。顧客は質問に回答し、その結果から導き出される自分のライフスタイルを確認しつつ、最適プランを選択していくこととなる。
【００４１】
質問、配点方法としては、(1)１グループ５問づつ、合計６グループの質問より構成される。(2)各質問には、各住宅プランに対する重み係数が割り当てられており、回答結果毎に各プランに得点配分を行う。重み係数は、表１に示す「プログラム配点テーブル」で調整する。
【００４２】
回答選択ボタンは、図６で示したように、質問毎に、「はい」、「まあまあ」、「いいえ」の三種類のボタン６１ａ〜６１ｃ等が配置される。顧客の回答結果により各住宅プランの得点が制御手段２０１によって計算され、この計算結果をマッチングインジケータ６４によって、各モデルとのマッチング状況を、視覚的に顧客へ知らせるものである。以下、質問への回答からマッチングインジケータ６４による表示までの処理を説明する。
【００４３】
(1)１グループ５問毎の回答結果を、顧客が「次へ」ボタン押し下げた際に、クライアント装置３００はサーバ装置２００に送信する。
(2)送信された回答結果から、サーバ装置２００の制御手段２０４は各住宅プランへの配点を計算する。
【００４４】
(3)計算結果を基に、サーバ装置２００の制御手段２０４はマッチングインジケータの表示を更新した画像データを作成して、これをクライアント装置３００に送信する。インジケータは得点を数値として表示するのではなく、最初の回答（５問）時点からライフスタイルの傾向を表現出来るように、偏差値を元にした相対的な表示を図示するものとする。
【００４５】
(4)１画面分の回答（即ち５問分の回答）からのマッチングインジケータ６４のグラフ変化に納得がいかない顧客は、「戻るボタン６３」を選択して、１ページ分のシミュレーションをやり直すことができる。
【００４６】
質問は５問×６画面で３０問とする。質問毎の重み付けテーブルはサーバ装置２００のデータ記憶手段２０５内に独立して構築し、本シミュレーションシステムの稼働後も、随時、質問内容や重み付けテーブル自体の設定の修正を可能とする。次に、表１に示す「プログラム配点テーブル」の各項目を説明する。
【００４７】
【表１】
2005157510.tif 000003
【００４８】
表１の「配点」の欄は、回答内容に対する重み付けを示しており、図６のはいボタン６１ａ、まあまあボタン６１ｂ、いいえボタン６１ｃに対応して、質問Ｑ１では、回答「はい」なら２点、「まあ」なら１点、「いいえ」なら０点等となるように点数を付与する。質問によっては配点割り当てを変更することで、回答結果に応じた配点配分の変更も可能である。例えば、回答「はい」なら０点、「まあまあ」なら１又は０点、「いいえ」なら２点等となるように点数を付与することもできる。また、点数は「０．５」点等の小数やマイナスの値であっても良い。
【００４９】
表１の「質問重み係数」の欄は、各質問間に所定の重み付けをするものである。特に重要な質問についてはこの質問重み係数を大きくする事で、質問全体でのバランスを変更する事が可能である。例えば、質問Ｑ１なら、「質問重み係数」は「１．０」、質問Ｑ２なら「２．０」である。
【００５０】
表１の「プラン重み係数」の欄は、質問に対するプラン毎の適合率を表したものである。本実施形態では、Ｗ１乃至Ｗ５の５つの基本住宅プランを備えたものであり、各質問毎に、Ｗ１乃至Ｗ５の各プランに対応した数値を付与している。「プラン重み係数」は、最大値を「１．０」、最小を「０．０」として配点を行い、各住宅プランの得点とする。なお、表１の横方向に項目を追加することで、その質問回答に対する重要度チェックも可能であり、例えば、その質問に肯定的な回答があった場合は、フラグが立つようにして特別な判断をする等を行うこともできる。
【００５１】
二階のバリエーションは、図７で説明したように、顧客の現実的な要求に対応するプラン・バリエーションを選択するものである。直接プラン図から選択を行いたい人のために、直接選択ボタン７２により、６バリエーションの俯瞰図を直接的に見せて選ばせることもできる。また、ページ上部に間取ボタン７１…を示し、マウスでフォーカスを当てる事により図面がポップアップし、該当する間取りを表示することもできる。Java（登録商標）やFlash（登録商標）等を用いて間取を立体的に見せる事や、拡大する事なども可能なグラフィック表示として、実際の間取りイメージを捉えやすくすることもできる。
【００５２】
二階部屋割りのシミュレーションは、前記３０問の質問に回答した後に、二階のシミュレーションを行う場合である。一階のライフスタイルの回答結果に連動する形で、二階シミュレーション結果によって前記「プラン重み係数」を変動させる仕組みとすれば、二階シミュレーション結果から住宅プランのマッチ度の精度を上げることもできる。プラン選択時には、各住宅プランの概略費用を表示しても良い。なお、オプションプランに関しては、参考表示のみとし、問い合わせ又は住宅展示場への来場による営業担当直接の対応に誘導する。
【００５３】
〔ライフスタイルの抽出〕本実施形態の住宅プランシミュレーションシステムは、インターネット等のウェブ上で顧客に自己のライフスタイルを自覚させつつ、住宅プランの選択に誘導するものである。本システムの構築を検討するにあたって、「ライフスタイル」という言葉の語源を調べた。ライフスタイルという概念を初めて提唱したのは社会心理学者のアドラー(1870-1937)である。アドラーによれば、ライフスタイルとは「個人の価値の体系」である。
【００５４】
アドラーの定義では、「ライフスタイルは自己と世界の現状と現実とについての信念の体系である」としていた。現在の自分だけでなく、将来の自分像をも交えた価値観の体系といったもの。ライフスタイル・マーケティングでは、ある人の将来像が、現在の自分とあまりにもギャップがある場合は、購買欲は生まれないとされている。その人の身の回りのモノ、あるいは欲しいと思っているモノは、その人の価値観を表現すると同時に、その人が多様化した価値観の中で、漂流しないで済む、その人のアイデンティティを定着させる機能ももっている。つまり、欲しいと思うものは世の中にたくさんあるが、現実から漂流してしまう防衛本能も働くため、実際にお金を出して購買行動に移る対象は、（二歩先でも三歩先でもなく）一歩先のニーズを喚起させるモノである。
【００５５】
よって、その人がもつ価値の体系によって、その人の生き方は方向づけられる。価値の体系は以下の３つが融合したものである。
a）自己概念（自分の自分に対する見方のクセ）
b）世界像（自分の周囲に対する見方のクセ）
c）自己理想（自分がなりたい姿）
【００５６】
〔事例１〕都会志向者のライフスタイルとしては、以下の３つである。
a）自己概念 →「地方暮らしは自分に合っていない。」
b）世界像 →「都会なら情報は豊富で刺激的。」
c）自己理想 →「都会に引っ越して刺激に囲まれれば充実感に満たされる。」
【００５７】
〔事例２〕テロリストのライフスタイルとしては、以下の３つである。
a）自己概念 →「自分には力がない。」
b）世界像 →「世の中は力のない人にとって住みにくい。」
c）自己理想 →「自分が力を得て、他者を支配すれば幸せに生きられる。」
【００５８】
本発明の住宅プランシミュレーションシステムは、図６に示したようなライフスタイル自覚誘導ページは質問及び回答（Ｑ＆Ａ）の形態とする。顧客が各質問に回答していくことで、自分のライフスタイルを認識することを目的とする。マーケティングの観点から作成するため、アドラーの「生き方」をさらに絞り込み、「購買行動の方向づけ」へと踏み込むものである。前記３つの価値の体系を「購買行動の方向づけ」に当てはめる。近似的には、A）自己概念 ≒ 自分は「こうだ」と思っている趣味趣向、B）世界像 ≒ 現在住んでいる家での生活感や印象、C）自己理想 ≒ 新居では「こうなりたい」と思っている暮らし方である。具体的な問いかける内容については、図９に示すように、前記の３つの要素（Ａ〜Ｃ）で方向づける。
【００５９】
なお、質問の総数は３０問を想定しており、３０問を回答し終えたときに、ライフスタイルＷ１乃至Ｗ５のそれぞれについて表１を用いて得点を集計し、累計最高点に対応するライフスタイルが回答者（顧客）に最もマッチしたライフスタイルになる。例えば図８では、活動的、アウトドア嗜好のライフスタイルＷ１が回答者のライフスタイルとして表示されている。
【００６０】
図２のステップＳ２０４乃至Ｓ２０６及び図６で示したように、画面上は５問をひとまとめにし、５問ごとに次へボタン６２を押して、次ページの５問に答えるようにする。次へボタン６２を押すたびにその時点の累計計算を行って、マッチングインジケータ６４により、その都度視覚化して表示する。
【００６１】
マッチングインジケータ６４の表示によって、回答者は５問毎の暫定結果をリアルタイムに確認できることから、自分と対話しながら自らが住宅プランを選ぶプロセスを感じとることができる。また、図６の画面において、「（５問毎のインジケーター結果を）お気に召さない人は『戻るボタン』で一つ前からやり直して下さい」というコメントを付記表示することで、回答者が自分のライフスタイルを自覚しながら進めることを促すことができる。これによって、回答者にシミュレーション結果を一方的に押しつけることを防止でき、シミュレーション結果への顧客の納得度が向上する。
【００６２】
質問の文章は、図９に示すように、ライフスタイル別に準備されており、所定のアルゴリズムで表示される。ライフスタイルごとの３問（Ａ.自己概念、Ｂ.世界像、Ｃ.自己理想）×５プラン×２セット＝３０問になる。配点は「はい」を２点、「まあ」を１点、「いいえ」を０点とし、各住宅プラン（Ｗ１〜Ｗ５）に対応させて加算する。質問によっては加算対象の住宅プランを複数対応させて、点数に重み係数を掛け合わせて加算することもできる。また、重要度の高い質問は質問自体にも重み係数を掛け合わせて加算する。表２は制御手段２０１が行う具体的な計算例である。
【００６３】
【表２】
2005157510.tif 000004
【図面の簡単な説明】
【００６４】
【図１】本発明の住宅プランシミュレーションシステムを示す概念図である。
【図２】本発明の住宅プランシミュレーションシステムの動作を示すフローチャートである。
【図３】本発明のトップページ画面を示す概念図である。
【図４】本発明の立地条件選択画面を示す概念図である。
【図５】本発明の外装選択画面を示す概念図である
【図６】本発明のライフスタイル選択画面を示す概念図である
【図７】本発明の２階部屋割り選択画面を示す概念図である
【図８】本発明の回答結果表示画面を示す概念図である
【図９】本発明の具体的質問を示す説明図である。
【符号の説明】
【００６５】
１００  インターネット
２００  サーバ装置
２０１  制御手段
２０５  データ記憶部
３００  クライアント装置
３０１  表示手段
３０  スタート画面
３１  シミュレーション開始ボタン
４０  立地条件選択画面
５０  外装選択画面
５４  次へボタン
６０  ライフスタイル選択画面
６１  第１の質問表示部
６２  次へボタン
６３  戻るボタン
６４  マッチングインジケータ
７０  二階部屋割り選択画面
７１  間取りボタン
７３  質問表示部
７４  結果表示ボタン
８０  選択結果画面
【図１】
2005157510.tif 000005
【図２】
2005157510.tif 000006
【図３】
2005157510.tif 000007
【図４】
2005157510.tif 000008
【図５】
2005157510.tif 000009
【図６】
2005157510.tif 000010
【図７】
2005157510.tif 000011
【図８】
2005157510.tif 000012
【図９】
2005157510.tif 000013